(57)【要約】【課題】光源ホルダとシャーシとの係合が解除されないように、光源ホルダの浮き上がりを阻止することができる光源ユニット若しくは表示装置を提供する。【解決方法】光源１２の端部に装着される光源ホルダ１２２は、前面側に光源１２および光源１２の端部に設けられた電気ケーブル１２５が嵌入されるスリット溝１２８を、背面側に前記シャーシ１１に設けられた被係合部１１１に係止する係合部１２３を備える。シャーシ１１の前面側に光源ホルダ１２２が装着された光源１２を配設する。シャーシ１１の前面側に配置された光源１２の端部を覆うようにカバー部材１３を配置する。カバー部材１３は、光源ホルダ１２２の係合部１２３と重なり合う位置においてスリット溝１２８と交差するように光源ホルダ１２２の前面に当接して光源ホルダ１２２の移動を規制する押さえ片であるリブ１３３を備えている。【選択図】  図５
2007294362.tif 000002
【特許請求の範囲】
【請求項１】
光源に光源ホルダが装着された状態で、該光源がシャーシ上に配置され、該光源ホルダにカバー部材が被着されてなる光源ユニットにおいて、
前記光源ホルダには、上面に前記光源および該光源に接続された電気ケーブルが嵌入されるスリット溝が形成されるとともに、底面には前記シャーシに形成された被係合部に係止される係合部が設けられ、前記カバー部材には、前記光源ホルダの前記係合部に対応する位置において前記スリット溝と交差するように該光源ホルダの上面に当接する押さえ片が設けられていることを特徴とする光源ユニット。
【請求項２】
前記光源は線状に形成され、前記光源ホルダに形成されるスリット溝は、前記線状光源の線方向に形成されたスリット溝部分と、該スリット溝部分と連通し交差する方向に形成されたスリット溝部分とからなる略Ｌ字状に形成され、前記係合部は、前記略Ｌ字状のスリット溝の角部に対応する位置に配置され、前記カバー部材には、前記略Ｌ字状のスリット溝の角部に交差するように光源ホルダの上面に当接する押さえ片が設けられていることを特徴とする請求項１に記載の光源ユニット。
【請求項３】
前記カバー部材には、前記光源ホルダの上面に当接する複数の押さえ片が互いに交差して設けられていることを特徴とする請求項１または２に記載の光源ユニット。
【請求項４】
請求項１から３のいずれかに記載の光源ユニットが表示パネルの背面側に設けられてなることを特徴とする表示装置。
【発明の詳細な説明】
【技術分野】
【０００１】
本発明は光源ユニットに関し、さらに詳しくは、液晶表示装置などの非自発光型ディスプレイの光源として好適に用いられる光源ユニットに関する。
【背景技術】
【０００２】
近年、コンピュータやテレビなどの電気製品の表示部として、たとえば液晶表示装置などの平面型の表示装置が広く用いられている。
【０００３】
例えば、透過型の液晶表示パネルを備える液晶表示装置などは、一般に液晶表示パネルの背面側に光源ユニットが配置される構成を備える。この光源ユニットは、その内部に光源を備え、この光源から発せられる光の特性を調整したうえで、液晶表示パネルの背面側に照射する装置である。そしてこの光源ユニットから照射された光が液晶表示パネルを透過することにより、この液晶表示パネルの前面側の表示領域に画像が可視状態に表示される。
【０００４】
このような液晶表示パネルの背面に配置される光源ユニットとしては、表示領域の側辺に例えば冷陰極管などの線状光源を配置するサイドライト形の光源ユニットや、複数本の線状光源を表示領域の背面側に配置する直下型の光源ユニットが知られている。
【０００５】
例えば、直下型の光源ユニットは、線状光源の端部に光源ホルダが装着された状態で、該線状光源がシャーシの前面側に列設され、これら線状光源の端部にカバー部材が被着されて、さらに前面側に拡散板、レンズシート、偏光反射フィルムなどが配置されてなるものである。
【０００６】
これら線状光源の端部に装着される光源ホルダには、シャーシに設けられた被係合部に係合する係合部が設けられており、この係合部がシャーシの被係合部に係止されることにより、線状光源がシャーシに固定される。
【０００７】
【特許文献１】特開２００４−３０３５３９号公報
【発明の開示】
【発明が解決しようとする課題】
【０００８】
このような光源ユニットにおいて、光源の端部に装着された光源ホルダがシャーシに固定されない状態になった場合、例えばシャーシやカバー部材などのような光源の周辺に配置された部材に、光源が当たってしまったり、光源に無理な力がかかってしまう等して、光源が破損してしまうおそれがある。
【０００９】
図９は、従来の光源ユニットのカバー部材５００が、シャーシ５０２に係止された線状光源５０４の端部に被着された状態の部分断面図である。
【００１０】
光源ホルダ５０６の底面には、突出した係合部５１０が設けられ、この係合部５１０がシャーシ５０２の切り欠き５０８に係合して、光源ホルダ５０６の底面が支持される。一方、カバー部材５００の空洞部５１２の内側面には、光源ホルダ５０６の上面にちょうど当接する高さの押さえ片５１４が設けられており、光源ホルダ５０６の浮き上がりを阻止して、光源ホルダ５０６の係合部５１０がシャーシ５０２からはずれてしまうのを防止する。
【００１１】
しかし、光源ホルダ５０６には、図９に示すように、光源５０４に接続された電気ケーブル５１６を嵌め込むためのスリット溝５１８が上面に形成されているものがある。このような場合、カバー部材５００の押さえ片５１４が光源ホルダ５０６のスリット溝５１８に嵌ってしまわないように、押さえ片５１４を配置する必要がある。そうすると、図９に示すように、光源ホルダ５１４の底面を支持する係合部５１０と、光源ホルダ５０６の上面に当接する押さえ片５１４の位置が、光源ホルダ５０６の上面側と底面側とでずれてしまい、光源ホルダ５０６とシャーシ５０２との係合が解除されやすくなるという問題があった。このような状態で、光源ユニットの周縁部に力が加わると、光源ホルダ５０４がシャーシ５０２からはずれてしまい、光源５０４が破損しやすくなってしまう。
【００１２】
そこで、本発明の解決しようとする課題は、光源ホルダとシャーシとの係合が解除されないように、光源ホルダの浮き上がりを阻止することができる光源ユニット若しくは表示装置を提供することにある。
【課題を解決するための手段】
【００１３】
上記課題を解決するため、本発明に係る光源ユニットは、複数本の線状光源の少なくとも一方の端部に光源ホルダが装着された状態でシャーシ上に列設され該線状光源の端部がカバー部材により被着されてなる光源ユニットにおいて、前記光源ホルダには、上面に前記線状光源の端部および該線状光源の端部に接続された電気ケーブルが嵌入されるスリット溝が形成されるとともに、底面には前記シャーシに形成された被係合部に係止される係合部が設けられ、前記カバー部材には、前記光源ホルダの前記係合部に対応する位置において前記スリット溝と交差するように該光源ホルダの上面に当接する押さえ片が設けられていることを要旨とするものである。
【００１４】
さらに、前記光源ホルダに形成されるスリット溝は、前記線状光源の線方向に形成されたスリット溝部分と、該スリット溝部分と連通し交差する方向に形成されたスリット溝部分とからなる略Ｌ字状に形成され、前記係合部は、前記略Ｌ字状のスリット溝の角部に対応する位置に配置され、前記カバー部材には、前記略Ｌ字状のスリット溝の角部に交差するように光源ホルダの上面に当接する押さえ片が設けられる構成であれば好ましい。
【００１５】
また、前記カバー部材には、前記光源ホルダの上面に当接する複数の押さえ片が互いに交差して設けられている構成であればより好ましい。
【００１６】
また、本発明に係る表示装置は前記光源ユニットが表示パネルの背面側に設けられてなることを要旨とするものである。
【発明の効果】
【００１７】
本発明に係る光源ユニットによれば、線状光源の端部に装着される光源ホルダがシャーシに係止された状態で、その線状光源の端部に被着されるカバー部材の押さえ片は、光源ホルダのシャーシへの係合部に対応する位置において、その光源ホルダのスリット溝と交差するように、光源ホルダの前面に当接して、該光源ホルダの浮き上がりを阻止する。そのため、たとえば光源ユニットの周縁部を把持して移動させる際などに、例えば光源ユニットのシャーシなどが撓むなどして、光源ホルダがシャーシから浮き上がってしまうことがなく、光源ホルダの浮き上がりによる光源の破損などが防止される。
【００１８】
また、本発明に係る表示装置によれば、前記光源ユニットが表示パネルの背面側に設けられてなるので、たとえば光源ユニットを表示パネルに組み付ける際などに、光源ユニットのシャーシから光源ホルダが浮き上がってしまうのが阻止され、光源の破損が防止される。
【発明を実施するための最良の形態】
【００１９】
以下、本発明の第１の実施の形態について、図１〜図５を参照して詳細に説明する。まず、本発明の第１の実施形態である光源ユニット１および表示装置２の全体の概略を説明する。図１は、本実施形態に係る光源ユニット１が、透過型の表示パネル２１の背面側に配置されてなる表示装置２の構造の概略を示す分解斜視図である。本実施形態に係る光源ユニット１は線状の光源１２の端部に光源ホルダ１２１，１２２が装着され、シャーシ１１前面に列設されて構成される。なお、以下の説明では特に記した場合をのぞき、図１の上方向を前面側と称し、図１の下方を背面側と称する。
【００２０】
シャーシ１１は、光源１２などを保持する略方形の平板状の部材であり、長辺側はアングル状に曲げ起こされて形成されている。一方、短辺側の端縁には、光源１２の端部に装着された光源ホルダ１２１，１２２の係合部１２３を係止する被係合部１１１が所定の間隔で設けられている。このシャーシ１１は、たとえば金属板などからプレス加工などにより形成される。尚、この被係合部１１１の詳しい形状については後述する。
【００２１】
シャーシ１１の前面には反射シート１１ａが布設される。反射シート１１ａは、光源１２が発した光を乱反射させるシート状の部材である。たとえば、シート状の発泡ＰＥＴ（ポリエチレンテレフタレート樹脂）材料などから形成される。この反射シート１１ａは長辺がシャーシ１１の長辺よりもわずかに短く形成されており、シャーシ１１の被係合部１１１が反射シート１１ａに覆われてしまわないように形成されている。
【００２２】
この反射シート１１ａのさらに前面側に光源１２が配置される。光源１２は、従来一般に用いられている種類の光源が適用できる。図１に示す実施形態では、直管形状の冷陰極管が適用される構成を示すが、これに限られるものではない。たとえば、冷陰極管や熱陰極管などの蛍光ランプ、キセノンランプなどの放電ランプなどが適用される。
【００２３】
光源１２の一方の端部からは電気ケーブル１２５が延設されて隣合う２本の光源１２，１２が互いに接続されており、他方の端部からは電力を供給できるように電気ケーブル１２４が延設されて光源駆動回路基板１６に接続されるように構成されている。
【００２４】
そして、この光源１２の両端部には、光源１２の端部を覆って保持するとともにシャーシ１１に係止可能にする光源ホルダ１２１，１２２が装着される。この光源ホルダ１２１，１２２は、たとえばゴム系の材料や合成樹脂材料など弾性変形可能な材料から形成されることが好ましい。これら各光源ホルダ１２１，１２２のシャーシ１１と接する側の面には、シャーシ１１上において光源１２を位置決めするとともにシャーシ１１の被係合部１１１である切り欠きに係合する突起状の係合部１２３が形成される。この係合部１２３がシャーシ１１の被係合部１１１に嵌入して、光源１２がシャーシ１１の前面側の所定の位置に配置される。また、光源１２の前記一方の端部に装着される光源ホルダ１２２には、その前面に、光源１２と電気ケーブル１２５とを装着するスリット溝が設けられている。光源ホルダ１２２の詳しい構造などについては後述する。
【００２５】
光源１２のさらに前面側には、光源１２の端部を覆うカバー状の部材であるカバー部材１３，１３が配置される。このカバー部材１３は、シャーシ側の面が開口した断面略コの字形の外殻を備える略柱状の部材であり、たとえば合成樹脂などを射出成型するなどして一体的に形成される。この外殻の一側面には光源１２を遊嵌可能な略Ｕ字状の切り欠き１３１が形成されているので、このカバー部材１３を、シャーシ１１の前面側に配設された光源の端部に覆い被せるように装着することができる。また、カバー部材１３の外殻の内面には、光源１２の端部に装着された光源ホルダ１２１，１２２の前面に当接し、光源ホルダ１２１，１２２とシャーシ１１との係止がはずれて光源ホルダ１２１，１２２が浮き上がってしまうのを規制する押さえ片が延設されている（図４，図５参照）。このカバー部材１３の詳しい構造などについては後述する。
【００２６】
そして、カバー部材１３の前面には、光源１２が発する光の特性を調整するなどの機能を有する光学シート類１４が配置される。光学シート類１４とは、光源が発する光の特性を調整する板状もしくはシート状の部材、またはこれらの部材の集合をいう。たとえば、拡散板、レンズシート、偏光反射シート、拡散シートなどが含まれ、一般的にこれらが積み重ねられて用いられる。
【００２７】
この光学シート類１４のさらに前面側には、光学シート類１４をシャーシ１１に保持するなどの機能を有する枠状の部材であるフレーム１５が装着される。フレーム１５は、開口した四辺形に形成される部材で、たとえば金属板材などのプレス加工により、または、合成樹脂などから一体的に形成される。
【００２８】
また、シャーシ１１の背面側には、光源１２を駆動する光源駆動回路基板１６が配設され、この光源駆動回路基板１６を覆う光源駆動回路基板カバー１７が装着される。なお、光源駆動回路基板１６は、光源１２を駆動する電子・電気回路が構築された回路基板である。光源駆動回路基板カバー１７は、光源駆動回路基板１６を覆うカバーであり、金属板などの導体により形成される。
【００２９】
そして、表示装置２は、前記光源ユニット１の前面側に、画像を表示する表示パネル２１が配設され、さらにその前面側にベゼル２２が装着される。また、シャーシ１１の背面側には、この液晶表示パネル２１を制御する制御回路基板２３が配設され、この制御回路基板２３を覆う制御回路基板カバー２４が装着される。
【００３０】
次いで、光源１２のシャーシ１１への係止構造について説明する。
【００３１】
図２（ａ）は光源ホルダ１２２が線状の光源１２の端部に装着される前の状態を示す斜視図である。図２（ｂ）は、図２（ａ）の光源ホルダ１２２のＡ−Ａ線断面図であり、図２（ｃ）は、図２（ａ）の光源ホルダ１２２のＢ−Ｂ線断面図である。図２（ｄ）は光源１２の端部に光源ホルダ１２２が装着された状態を示す斜視図である。図２（ａ），（ｄ）には、隣り合う２本の光源１２，１２が互いに接続された側の端部を示す。この互いに接続された２本の光源１２，１２の、一方の光源１２の端部に接続される光源ホルダ１２２と、他方の光源１２の端部に接続される光源ホルダ１２２とは、面対称の構造を有している。
【００３２】
図２（ａ）に示すように、光源１２の端部からは電気ケーブル１２５が延設され、この電気ケーブル１２５は隣り合う２本の光源１２，１２を互いに接続するように構成される。この光源１２の端部に装着される光源ホルダ１２２は、光源１２の長手方向の略方形の光源収容部１２６と、互いに接続された光源１２，１２の端部をつなぐ方向のケーブルガイド部１２７とからなる略鍵形に形成されている。
【００３３】
光源ホルダ１２２の光源収容部１２６の端面には、光源収容部１２６の長手方向に向かって孔状に凹設された光源収容孔１２６ａが設けられている。この光源収容孔１２６ａは、光源１２の外径と略同一の内径を有しており、光源１２の外周面に沿うように形成されている。図２（ｂ）に示すように、光源収容孔１２６ａは、光源収容部１２６の内部で後述するケーブル収容孔１２７ａにつながっている。
【００３４】
図２（ａ）および図２（ｂ）に示すように、ケーブルガイド部１２７は、光源１２の端部に延設された電気ケーブル１２５を収容するように、電気ケーブル１２５の外径とほぼ同じ内径を有するケーブル収容孔１２７ａを有している。このケーブル収容孔１２７ａは、光源１２の端部に接続された電気ケーブル１２５をガイドするように構成されている。ケーブル収容孔１２７ａは、光源１２の線方向の部分と、隣り合って配置された光源１２，１２の端部をつなぐ方向の部分とを有する略Ｌ字形に形成されている。
【００３５】
図２（ａ）に示すように、光源ホルダ１２２の上面（図２（ａ）の上側に位置する面）には、光源ホルダ１２２の光源収容孔１２６ａおよびケーブル収容孔１２７ａと連通するスリット溝１２８が形成されている。このスリット溝１２８は、光源の線方向（長手方向）に形成された部分１２８ａと、隣り合って配置された光源の端部をつなぐ方向に形成された部分１２８ｂとを有している。光源１２の端部および光源１２の端部に延設された電気ケーブル１２５は、このスリット溝１２８から、光源収容孔１２６ａおよびケーブル収容孔１２７ａに嵌入される。
【００３６】
一方 、光源収容部１２６の両側面の底側（図２（ａ）の下側）の端縁には、台座部１２９，１２９が設けられている。この台座部１２９は、シャーシ１１と光源ホルダ１２２との接触面積を大きくし、光源ホルダ１２２を安定してシャーシ１１に係止できるように構成されている。
【００３７】
図２（ａ）および図２（ｃ）に示すように、光源ホルダ１２２の底面（シャーシに係合する面側）には、シャーシ１１に設けられた被係合部１１１に係合する係合部１２３が突設されている。この係合部１２３は、光源ホルダ１２２の前面側に設けられた略Ｌ字形のスリット溝１２８の角の位置と重なり合う位置に配置されている。係合部１２３は、シャーシ１１の被係合部１１１の形状に対応する形状を有しており、図２には、角柱状の係合部１２３の例を示した。この係合部１２３の先端部にはシャーシ１１への係止を補助する膨出部１２３ａが形成されている。
【００３８】
そして、図２（ｄ）に示すように、光源１２の端部に光源ホルダ１２２が装着される。光源１２および光源１２から延設された電気ケーブル１２５を、光源ホルダ１２２の上面に設けられたスリット溝１２８に嵌入させ光源１２の端部に光源ホルダ１２２を装着する。これにより、光源１２の端部と光源１２の端部に延設された電気ケーブル１２５が光源ホルダ１２２に覆われて、シャーシ１１に保持させることができるよう構成される。
【００３９】
図３（ａ）は、光源１２の端部に装着された光源ホルダ１２２がシャーシ１１に係止され、カバー部材１３で覆われる組み立て状態を示す斜視図であり、図３（ｂ）は光源１２がシャーシ１１に保持された状態を示す斜視図である。
【００４０】
図１でも説明したように、シャーシ１１の端辺には、光源１２の端部が位置する場所に、光源１２に装着された光源ホルダ１２２の係合部１２３を係止する被係合部１１１である切り欠きが設けられている。この切り欠きは、光源ホルダ１２２をシャーシ１１の前面側に配置する際の位置決めをするとともに光源１２に装着された光源ホルダ１２２に設けられた係合部１２３と係合して光源ホルダ１２２をシャーシ１１に係止する機能を有している。
【００４１】
この被係合部１１１である切り欠きは、光源ホルダ１２２の係合部１２３をちょうど嵌め込むことができる幅で、かつ、係合部１２３の膨出部１２３ａより若干狭い幅に形成されている。これにより、光源ホルダ１２２の背面に設けられた係合部１２３をシャーシ１１の被係合部（切り欠き）１１１に嵌入したときに、光源ホルダ１２２の底面がシャーシ１１の前面に当接し、係合部１２３の先端がシャーシ１１の背面から突出して、膨出部１２３ａが被係合部（切り欠き）１１１に引っ掛かることで、光源ホルダ１２２がシャーシ１１に係止される。
【００４２】
さらに、シャーシ１１の前面側に光源１２の端部に覆い被せるようにカバー部材１３を載置する。このカバー部材１３は、シャーシ側の面が開口した略柱状のの外殻を備える部材である。この外殻の一側面には光源１２を遊嵌可能な略Ｕ字状の切り欠き１３１が形成されている。このカバー部材１３を、光源１２，１２の端部に覆い被せるように装着すると、略Ｕ字形状の切り欠き１３１に光源１２が遊嵌される。そして、カバー部材１３をネジ等によってシャーシ１１に固定する。
【００４３】
このカバー部材１３の詳しい構造を、図４（ａ），（ｂ）を参照して説明する。図４（ａ）は、カバー部材１３を前面側から見た全体の外観を示す斜視図であり、図４（ｂ）は、図４（ａ）のＣ−Ｃ線断面の一部を示す図である。
【００４４】
図４（ａ）に示すように、このカバー部材１３は、略柱状の外殻のシャーシ側の一面が開口した形状を備える部材であり、その両端部には、カバー部材１３をシャーシ１１に固定するためのネジ孔が設けられている。図４（ａ）および図４（ｂ）に示すように、この外殻の一側面には光源１２を遊嵌可能な略Ｕ字状の切り欠き１３１が形成されている。
【００４５】
また、図４（ｂ）に示すように、カバー部材１３の外殻に囲まれた空間には、カバー部材１３の機械的強度を補強するリブＡが形成されている。前記略Ｕ字状の切り欠き１３１が形成された面から対向する面に向けて形成されたリブＡとカバー部材１３の外殻とに囲まれた空間に、光源ホルダ１２２を収納可能な空洞部１３２が設けられている。
【００４６】
この空洞部１３２には、カバー部材１３自体の機械的強度を補強するとともに光源１２の端部に装着された光源ホルダ１２２の上面に当接して光源ホルダ１２２の浮き上がりを規制する押さえ片１３３が形成されている。押さえ片１３３は、カバー部材１３の長手方向に略平行な押さえ片１３３ａと、カバー部材１３の長手方向に対して斜めに形成された押さえ片１３３ｂを備えている。押さえ片１３３ａは、互いに対向するリブＡをつなぐようにカバー部材１３の外殻と略平行に形成されている。押さえ片１３３ｂ，１３３ｂは、カバー部材１３の略Ｕ字状の切り欠き１３１が形成された面に対向する面から押さえ片１３３ａに向かって斜めに形成されている。この押さえ片１３３ａ，１３３ｂは、カバー部材１３が光源１２の端部に覆い被さるように配置されると、光源１２の端部に装着された光源ホルダ１２２の上面に当接する高さに形成されている。
【００４７】
図５は、光源１２の端部に装着された光源ホルダ１２２が、シャーシ１１とカバー部材１３との間で保持された状態を示す部分断面図である。シャーシ１１の端辺に設けられた被係合部１１１である切り欠きに光源ホルダ１２２の係合部１２３が係止され、光源１２がシャーシ１１の前面側に並んで配置される。この光源１２の端部を覆うようにカバー部材１３が配置され、カバー部材１３の空洞部１３２に設けられたリブ１３３が光源１２の端部に装着された光源ホルダ１２２の前面に当接する。
【００４８】
この押さえ片１３３のカバー部材１３の長手方向に対して斜めに形成された押さえ片１３３ｂは、光源ホルダ１２２の係合部１２３と重なり合う位置においてスリット溝１２８と交差するように光源ホルダ１２２の前面に当接する。このように、係合部１２３と重なり合う位置において、カバー部材１３のリブ１３３が光源ホルダ１２２に当接して光源ホルダ１２２の浮き上がりを規制しているので、光源ホルダ１２２をシャーシ１１からはずれないように固定することができる。
【００４９】
また、カバー部材１３の押さえ片１３３ｂは、光源ホルダ１２２の上面に形成された略Ｌ字状のスリット溝１２８の光源の線方向（長手方向）に形成された部分１２８ａと、隣り合って配置された光源の端部をつなぐ方向に形成された部分１２８ｂとの両方と交差するように斜めに形成されている。このため、光源ホルダ１２２のスリット溝１２８に押さえ片１３３が嵌ってしまうようなことがなく、光源ホルダ１２２の上面において、光源ホルダ１２２の底面に設けられた係合部１２３と重なり合う位置に押さえ片１３３ｂを当接させて光源ホルダ１２２の浮き上がりを効果的に規制することができる。
【００５０】
次に、上述の光源ユニット１および表示装置２が備えるカバー部材１３の変形例について説明する。図６は、カバー部材１３の第１の変形例として、図４（ｂ）に対応した部分を示す図である。尚、以下の説明においては、図４（ｂ）に対応した構成部分についてのみ主に説明する。
【００５１】
図示のカバー部材１３Ａは、カバー部材の補強用リブＡとカバー部材１３Ａの長手方向に延びる押さえ片１３３ａおよび斜め方向に延びる押さえ片１３３ｂとにより囲まれた両隅角部の空間領域に合成樹脂材料が、押さえ片１３３ｂと略同じ高さまで充填されている。そして、これにより光源ホルダ１２２の上面に当接する押さえ面１３２’が形成され、この押さえ面１３２’は、このカバー部材１３Ａにより光源１２の端部を覆うと、光源ホルダ１２２の上面に当接されて光源ホルダ１２２の上方への移動（浮き上がり）を規制し、光源ホルダ１２２とシャーシ１１の被係合部１１１との係合が解除されてしまうのを防ぐことができる。また、押さえ面１３２’と光源ホルダ１２２の上面とを当接させることで、接触する面積が広くなり、より安定して光源ホルダ１２２の移動を規制することができる。
【００５２】
なお、この押さえ面１３２’は、押さえ片１３３ｂとリブＡとに囲まれた空間に、合成樹脂材料等を充填しすることで空間を塞いで形成してもよいし、このカバー部材１３Ａを射出成形等により形成する際に、押さえ片１３３ｂとリブＡとの間の空間が埋められた状態に形成してもよい。
【００５３】
次に、本発明の第２の実施形態である光源ユニット１および表示装置２が備えるカバー部材１３Ｂについて、図７（ａ）に示して説明すると、このカバー部材１３Ｂは、外殻に囲まれた空間に形成される補強用リブＡと、長手方向の押さえ片１３３ａとの間に斜め方向の押さえ片１３３ｂと、さらにその１３３ｂと交差するように斜め方向の押さえ片１３３ｃとを設けたものである。
【００５４】
このように、押さえ片１３３ｂ，１３３ｃを互いに交差させて設けることにより、複数の押さえ片を光源ホルダに当接させて、より確実に光源ホルダ１２２の上方への移動を規制することができる。また、このように互いに交差するように斜めに形成された押さえ片１３３ｂ，１３３ｃを設けることにより、例えば図２に示した光源ホルダ１２２とは異なる位置に係合部１２３が設けられているようなタイプの光源ホルダに対しても、図５に示した場合と同様に、光源ホルダの係合部の真上にカバー部材の押さえ片を当接させて光源ホルダの浮き上がりを規制することができる。
【００５５】
図７（ｂ）は、第２の実施形態の第１の変形例を示す図である。このカバー部材１３Ｃは、カバー部材１３Ｂのように、互いに交差する押さえ片１３３ｂと１３３ｃとを備えているが、押さえ片１３３ｂ，１３３ｃの交差する角度を変えて、格子状に交差するように形成されている。このように押さえ片１３３ｂ，１３３ｃの交わる角度を変化させれば、係合部の位置の異なる様々な種類の光源ホルダに対応することができる。
【００５６】
図７（ｃ）は、第２の実施形態の第２の変形例を示す図である。このカバー部材１３Ｄには、押さえ片１３３ｂ，１３３ｂの両方に交差する押さえ片１３３ｄがカバー部材１３Ｄの長手方向に略平行に形成されている。このように押さえ片１３３ｂ，１３３ｃを形成することによって、複数の押さえ片を光源ホルダに当接させて、より確実に光源ホルダ１２２の浮き上がりを規制することができる。
【００５７】
図８（ａ）は、第３の変形例を、図８（ｂ）は、第４の変形例を示す図である。図８（ａ）に示したカバー部材１３Ｅは、カバー部材１３Ｅの長手方向に略平行に形成された押さえ片１３３ａの両端の補強用のリブＡとの交差部近傍から、カバー部材１３Ｅの外殻の押さえ片１３３ａ対向する面に向けて斜めに押さえ片１３３ｅ，１３３ｅが設けられている。また、図８（ｂ）に示したカバー部材１３Ｆは、図８（ａ）の押さえ片１３３ｅの数を増やしたものである。押さえ片の数を増やすと、光源ホルダに当接する箇所が増え、より安定して光源ホルダの浮き上がりを規制することができる。このように、押さえ片の形成される向きや押さえ片の数などを適宜選択してカバー部材を形成することができる。
【００５８】
また、図８（ｃ）は、第５の変形例であるカバー部材１３Ｇを示した図である。このカバー部材１３Ｇには、リブＡとカバー部材１３の前記略Ｕ字状の切り欠き１３１が形成された面に対向する面との間の長さにほぼ等しい直径を有する円形状の押さえ片１３３ｆが形成されている。このように、押さえ片の形状は、斜め方向の押さえ片に限られず、例えば円形状や楕円形状のようなものでもよい。
【００５９】
以上、本発明の実施形態について説明したが、本発明はこうした実施形態に何ら限定されるものではなく、本発明の趣旨を逸脱しない範囲において、種々なる態様で実施できることはもちろんである。たとえば、光源ホルダの係合部とシャーシの被係合部は、突起と切り欠きに限られるず、各種形態のものから考えられることは言うまでもない。また、カバー部材のリブの位置や形状は前記実施形態に限定されず、要は光源ホルダのスリット溝に交差して、かつ、光源ホルダの係合部と重なり合う位置に当接するように形成されていればよい。
【図面の簡単な説明】
【００６０】
【図１】本発明の第１の実施形態に係る光源ユニットが組み込まれた表示装置の組み付け構造を模式的に示した分解斜視図である。
【図２】（ａ）は図１の光源の端部に光源ホルダが装着される前の状態を示す斜視図であり、（ｂ）は図２（ａ）のＡ−Ａ線断面図であり、（ｃ）は図２（ａ）のＢ−Ｂ線断面図であり、（ｄ）は光源ホルダが装着された状態を示す斜視図である。
【図３】（ａ）は、図２の光源の端部に装着された光源ホルダとシャーシとカバー部材との組み立て前の状態を示す斜視図であり、（ｂ）は光源がシャーシに保持された状態を示す斜視図である。
【図４】（ａ）は、カバー部材を前面側から見た全体の外観を示す斜視図であり、（ｂ）は、図４（ａ）のＣ−Ｃ線断面の一部を示す図である。
【図５】光源がシャーシに保持された状態を示す部分断面図である。
【図６】図４に示した光源ホルダの変形例を示す部分断面図である。
【図７】（ａ）は、本発明の第２の実施形態である光源ユニットおよび表示装置が備えるカバー部材を示す部分断面図であり、（ｂ）は図７（ａ）に示したカバー部材の第１の変形例、（ｃ）は図７（ａ）に示したカバー部材の第２の変形例を示したである。
【図８】（ａ）は、図７（ａ）に示したカバー部材の第３の変形例を、（ｂ）は第４の変形例を、（ｃ）は第５の変形例を示した図である。
【図９】従来のカバー部材で光源をシャーシに固定した状態の部分断面図である。
【符号の説明】
【００６１】
１  光源ユニット
２  表示装置
１１  シャーシ
１２  光源
１３，１３Ａ〜１３Ｇ  カバー部材
１１１  被係合部
１２１，１２２  光源ホルダ
１２３  係合部
１２４  電気ケーブル
１２８  スリット溝
１３３，１３３ａ〜１３３ｆ  押さえ片
【図１】
2007294362.tif 000003
【図２】
2007294362.tif 000004
【図３】
2007294362.tif 000005
【図４】
2007294362.tif 000006
【図５】
2007294362.tif 000007
【図６】
2007294362.tif 000008
【図７】
2007294362.tif 000009
【図８】
2007294362.tif 000010
【図９】
2007294362.tif 000011